(57)【特許請求の範囲】
【請求項１】
注入ロッドの側面に設けられた噴射ノズルから硬化材液を高圧噴射して固結体を造成する地中固結体造成工法であって、
端部に先端ノズルが設けられた注入ロッドを対象地盤の所定の深度まで挿入する挿入工程と、
該挿入工程で、前記注入ロッドを回転もしくは揺動させながら、前記先端ノズルから前記注入ロッドの挿入側の方向に硬化材液または液体を高圧噴射する挿入噴射工程と、
前記注入ロッドを対象地盤から引上げる引上工程と、を有し、
前記先端ノズルは、前記注入ロッドの先端部に複数設けられ、
前記注入ロッドの先端部に設けられた複数の先端ノズルは、前記注入ロッドの先端周辺側に設けられ、前記注入ロッドの略挿入方向に硬化材液または液体を高圧噴射する周側先端ノズルと、前記周側先端ノズル同士の内側に設けられ、前記注入ロッドの挿入方向と傾きを持たせた方向かつ前記周側先端ノズル同士を結ぶ線から遠ざかる方向に硬化材液または液体を高圧噴射する内側先端ノズルとを有することを特徴とする地中固結体造成工法。
【請求項２】
前記先端ノズルから高圧噴射される硬化材液または液体の噴射圧を変えることができる請求項１記載の地中固結体造成工法。
【請求項３】
請求項１または２記載の地中固結体造成工法を用いて固結体を造成する地中固結体造成装置。
【発明の詳細な説明】
【技術分野】
【０００１】
本発明は、地盤の安定、地山支保、トンネル支保工、構築物の基礎、構築物の基礎補強、液状化防止、遮水用地中壁、地下水湧水防止などに用いるノズルから硬化材液を高圧噴射して固結体を造成する地中固結体造成工法およびその工法を用いて固結体を造成する地中固結体造成装置に関する。
【背景技術】
【０００２】
従来、硬化材液を地中に噴射して固結体を造成する工法として、たとえば、改良するべき地盤にボーリング孔を切削し、先端にモニタを設けたロッドをボーリング孔内に挿入し、そのモニタに設けられたノズルから水平方向に地盤改良材（硬化材液）ジェットを噴射して、地盤の切削と改良材との混合を行い、地盤の切削・改良材との混合を行いつつ、ロッドを回転しながら地上側へ引き上げるものがあった。これにより、地盤と地盤改良材との混合物からなり、ジェット到達距離と等しい半径方向寸法を有する円柱形の固結体（改良体）を造成することができる（たとえば、特許文献１）。
【０００３】
【特許文献１】特開２００１−１１５４４２号公報（「従来の技術」の欄）
【発明の開示】
【発明が解決しようとする課題】
【０００４】
しかしながら、所謂全方位高圧噴射工法をはじめとするジェットグラウト工法のような大口径の固結体を造成する工法では、注入ロッドの挿入に際して事前に先行削孔としてボーリング孔を切削するとなると、ボーリング孔を切削するための施工時間および施工コストが増大するという問題があった。また、ボーリング孔を切削しないで、注入ロッドを地盤内に直接挿入することにより、施工時間や施工コストを少なくすることができるが、固結体の造成深度が深くなればなるほど注入ロッドの垂直性の確保が困難となり、固結体を精度よく造成することができないという新たな問題が生じる。
【０００５】
また、所謂全方位高圧噴射工法をはじめとするジェットグラウト工法では、注入ロッドの先端に削孔用ビットが取り付けられ、その削孔用ビットから水を低圧で噴射し、通常３０〜６０R.P.M程度の回転数で回転しながら削孔するものもあるが、削孔用ビットから水を低圧で噴射しながら削孔した場合でも、その削孔に比較的長い時間を要し、また注入ロッドの垂直性を確保することも困難で、ジャーミングによる施工中断のリスクなども生じるものであった。  
【０００６】
本発明は上記問題点に鑑みてなされたもので、地中内で造成される固結体の精度を高め、該固結体を短時間かつ低コストで造成可能な地中固結体造成工法およびその工法を用いて固結体を造成する地中固結体造成装置を提供することを目的とする。
【課題を解決するための手段】
【０００７】
上記課題を解決し上記目的を達成するために、本発明のうち第１の態様に係るものは、端部に先端ノズルが設けられた注入ロッドを対象地盤の所定の深度まで挿入する挿入工程と、挿入工程で、注入ロッドを回転もしくは揺動させながら、先端ノズルから注入ロッドの挿入側の方向に硬化材液または液体を高圧噴射する挿入噴射工程と、注入ロッドを対象地盤から引上げる引上工程と、を有し、先端ノズルは、注入ロッドの先端部に複数設けられ、注入ロッドの先端部に設けられた複数の先端ノズルは、注入ロッドの先端周辺側に設けられ、注入ロッドの略挿入方向に硬化材液または液体を高圧噴射する周側先端ノズルと、周側先端ノズル同士の内側に設けられ、注入ロッドの挿入方向と傾きを持たせた方向かつ周側先端ノズル同士を結ぶ線から遠ざかる方向に硬化材液または液体を高圧噴射する内側先端ノズルとを有することを特徴とする。
【０００８】
この方法によれば、挿入噴射工程により、先端ノズルから注入ロッドの挿入側の方向に硬化材液または液体を高圧噴射させるので、その高圧で噴射された硬化材液または液体により注入ロッドの挿入側（引上側と逆）の方向の地盤を切削し、挿入側の方向の地盤を液状化（軟弱に）させることができる。また、周側先端ノズルにより注入ロッドの略挿入方向に高圧噴射された硬化材液または液体により、注入ロッドの挿入方向の地盤が切削され、また、内側先端ノズルにより注入ロッドの挿入方向と傾きを持たせた方向に高圧噴射された硬化材液または液体により、注入ロッドの挿入方向と傾きを持たせた方向の地盤も切削される。このように、周側先端ノズルと内側先端ノズルの相互作用により、注入ロッドの挿入方向の地盤のみならず、注入ロッドの周辺の地盤も積極的に切削することができ、比重の重い注入ロッドが地中内に挿入しやすくなり、注入ロッドが液状化した地盤の中に真っ直ぐ挿入され、注入ロッドの垂直性も良くすることができる。よって、固結体を精度よく造成することができ、また該固結体を短時間かつ低コストで造成することができる。
【０００９】
本発明のうち第２の態様に係るものは、第１の態様に係る地中固結体造成工法であって、先端ノズルから高圧噴射される硬化材液または液体の噴射圧を変えることができるものである。
【００１０】
この方法によれば、先端ノズルから高圧噴射される硬化材液または液体の噴射圧を変えることができるので、削孔される孔の大きさを調整することができ、地盤の硬さ、施工現場の大きさなどによって、削孔される孔の大きさを調整することができる。これにより、小さな孔で十分注入ロッドを挿入できる場合は、高圧噴射の中でも少し低めの圧力で硬化材液または液体を噴射し、コストも削減することができる。
【００１１】
また、注入ロッドの挿入方向に石ころなどが存在する場合でも、たとえば、少し注入ロッドを引き上げ、その後に、高圧で硬化材液または液体を噴射させることにより、その地盤内に存在する礫や玉石などを注入ロッドの挿入方向外にずらすことができる。これにより、注入ロッドを地中内に確実に挿入することができる。
【００１２】
本発明のうち第３の態様に係るものは、第１または第２の態様に係る地中固結体造成工法を用いて固結体を造成する地中固結体造成装置。
【００１３】
この構成によれば、上述した本発明の第１または第２のいずれかの態様の効果と同様な効果を有する。
【発明の効果】
【００１４】
以上のように本発明の地中固結体造成工法によれば、挿入噴射工程で、先端ノズルから注入ロッドの挿入側の方向に硬化材液または液体を高圧噴射させるので、地中内で造成される固結体の精度を高めることができ、該固結体を比較的短時間かつ低コストで造成することができる。
【発明を実施するための最良の形態】
【００１５】
以下、本発明の地中固結体造成工法の一実施形態について図面を参照にしながら説明する。図１は、本発明の一実施形態における地中固結体造成工法の施工状況を示す図である。
【００１６】
図１に示すように、注入ロッド１の先端に設けられた先端ノズル１０１〜１０４（周側先端ノズル１０１、１０２、内側先端ノズル１０３、１０４）、空気噴射口１０５から、注入ロッド１内を介して供給される水（液体）、空気が噴射され、また、注入ロッド１の側面に設けられた噴射ノズル１３からは、注入ロッド１内を介して供給されるセメントミルク（硬化材液）が噴射される。なお、本実施形態では、先端ノズル１０１〜１０４から水（液体）を噴射するようにしたが、これに限らず、セメントミルクを噴射させるようにしてもよい。
【００１７】
作業機２は、注入ロッド１を支持するとともに、注入ロッド１を上下動および回転させる機械である。これにより、注入ロッド１は、作業機２により、上下動のみならず回転も可能となる。
【００１８】
注入ロッド１は、上述したように端部および側面にノズルが設けられ、また、後端部には、スイベル３が取り付けられている。そして、注入ロッド１内には、後述するノズルにセメントミルク、空気、および水（液体）を供給するためのセメントミルク流路１０、空気流路１１、および水流路１２が設けられている。
【００１９】
スイベル３は、水の供給源４、空気の供給源５、およびセメントミルクの供給源６からそれぞれ供給される水、空気、およびセメントミルクの各供給管７、８、９（ホース）と連結されるとともに、水、空気、およびセメントミルクを注入ロッド１内に設けられた後述する水流路１２、空気流路１１、およびセメントミルク流路１０に供給するものである。このように、水の供給源４、空気の供給源５、およびセメントミルク（硬化材液）の供給源６から、それぞれ供給されるセメントミルク、空気、および水は、各供給管７〜９→スイベル３→各流路１０〜１２を経て、ノズルなどから噴射される。なお、本実施形態では、説明の便宜上、先端ノズル１０１〜１０４、空気噴射口１０５、噴射ノズル１３の水、空気、およびセメントミルクの供給源をそれぞれ一つとし、その供給源４、５、６から水、空気、およびセメントミルクが供給されるように説明したが、実際は、それぞれのノズル、噴射口に対応して供給源、供給管、流路を有している。
【００２０】
次に、図２〜図４を用いて、注入ロッドについて説明する。図２は、本発明の一実施形態における地中固結体造成工法に用いられる注入ロッドの側面図であり、図３は、その注入ロッドの端部を示す図である。また、図４は、その注入ロッドの斜視図である。
【００２１】
図２に示すように、注入ロッド１には、側面にセメントミルクと空気を噴射させる噴射ノズル１３（略直径４．０ｍｍ）が設けられ、また、図３に示すように、端部には、水（液体）を噴射させる先端ノズル１０１〜１０４（略直径４．０ｍｍ）と、空気を噴射させる空気噴射口１０５が設けられている。
【００２２】
なお、上述したように、本実施形態では、先端ノズル１０１〜１０４から水（液体）を噴射させるものを用いて説明するが、これに限らず、その先端ノズル１０１〜１０４の一部もしくは全部からセメントミルクを噴射させるようなものであってもよい。また、本実施形態では、注入ロッド１の先端に先端ノズルを４個設けているが、４個に限るものではなく、５個以上設けてもよい。
【００２３】
噴射ノズル１３には、図２に示すように、セメントミルクを噴射させる材液噴射ノズル１４と圧縮空気を噴射させるエアー噴射口１７が備えられる。具体的には、噴射ノズル１３の内側の管に材液噴射ノズル１４が設けられ、外側の管にエアー噴射口１７が設けられている。このように、噴射ノズル１３からセメントミルクと圧縮空気が高圧噴射されると、噴射ノズル１３の内側からセメントミルクが噴射され、その外側（外周部）から圧縮空気が噴射され、セメントミルクの噴流の周りに圧縮空気の気層被膜を作ることにより、圧縮空気の気層被膜がない場合に比べて噴射到達距離を増大させることができる。
【００２４】
先端ノズル１０１〜１０４は、図３に示すように、正方形の形状をした先端ノズル取付板１０６に取り付けられ、その正方形の対角線上の各頂点付近に周側先端ノズル１０１、１０２が、その内側に内側先端ノズル１０３、１０４が設けられている。すなわち、注入ロッド１の先端周辺側に周側先端ノズル１０１、１０２が設けられ、その周側先端ノズル１０１、１０２同士の内側に内側先端ノズル１０３、１０４が設けられている。そして、先端ノズル取付板１０６の中央付近には、空気を噴射させる空気噴射口１０５が設けられている。そして、後述するように、周側先端ノズル１０１、１０２からは、注入ロッド１の略挿入方向に水（液体）が噴射され、また、内側先端ノズル１０３、１０４からは、注入ロッド１の挿入方向と約２０度外側に傾きを持たせた方向に水（液体）が高圧噴射される。なお、この傾きは周側先端ノズル１０１、１０２同士を結ぶ線から遠ざかる方向に傾きを持たせている。
【００２５】
また、図４に示すように、注入ロッド１の上面には、上述したセメントミルク流路１０、空気流路１１、および水流路１２のそれぞれの入口が設けられている。そして、これらの入口からセメントミルク、空気、および水が流入され、セメントミルク流路１０、空気流路１１、および水流路１２を介し、ノズルから噴射される。なお、上述したように、本実施形態では、説明の便宜上、先端ノズル１０１〜１０４、空気噴射口１０５、噴射ノズル１３の水、空気、およびセメントミルクの流路をそれぞれ一つとし、その流路１０、１１、１２から水、空気、およびセメントミルクが供給されるように説明したが、実際は、それぞれのノズル、噴射口に対応して流路を有している。
【００２６】
本実施形態の注入ロッド１は、直径１０ｃｍ〜２０ｃｍ程度（たとえば、１４.２ｃｍ）の円形断面を有し、内側にセメントミルク、圧縮空気、水、計測センサ用配線管、油圧管等の通路（流路）を設けた多孔管状のものが用いられている。そして、これらの注入ロッド１をそれぞれの通路の位置を合わせながら順次接続し、地中に挿入することとなる。なお、本実施形態では、直径１０ｃｍ〜２０ｃｍ程度の円形断面の注入ロッド１を用いたが、これに限らず、一辺が１０ｃｍ〜１８ｃｍ程度の四角形断面を有する注入ロッド１を用いてもよい。
【００２７】
次に、注入ロッド１の先端に設けられた先端ノズル１０１〜１０４から水（液体）が噴射される状況について説明する。図５は、本発明の一実施形態における地中固結体造成工法に用いられる注入ロッドの端部に設けられた先端ノズルの噴射方向を示す図であり、図６は  その先端ノズルから水が噴射されている状況を示す図である。なお、この図５は、図２を９０度回転させた位置から見た図に相当する。
【００２８】
図５および図６に示すように、周側先端ノズル１０１、１０２からは注入ロッド１の略挿入方向に水（液体）が高圧噴射され、内側先端ノズル１０３、１０４からは注入ロッド１の挿入方向と約２０度傾きを持たせた方向に水（液体）が高圧噴射される。すなわち、先端ノズル１０１〜１０４は、注入ロッド１の略挿入方向に水（液体）を高圧噴射する周側先端ノズル１０１、１０２と、注入ロッド１の挿入方向と傾きを持たした方向に水（液体）を高圧噴射する内側先端ノズル１０３、１０４とから構成されている。また、空気噴射口１０５からは空気が噴射される。なお、本実施形態では、周側先端ノズル１０１、１０２からは注入ロッド１の略挿入方向に水（液体）が高圧噴射され、内側先端ノズル１０３、１０４からは注入ロッド１の挿入方向と約２０度傾きを持たせた方向に水（液体）が高圧噴射されるようにしたが、これに限らず、先端ノズル１０１〜１０４から注入ロッド１の挿入側（引上側と反対）の方向に水（液体）を高圧噴射させるものであれば、他の方向であってもよい。
【００２９】
これにより、図６に示すように、先端ノズル１０１〜１０４から高圧で噴射された水（液体）により注入ロッド１の挿入側の方向の地盤を切削し、挿入側の方向の地盤を積極的に液状化（軟弱に）させることができ、また、空気噴射口１０５から圧縮空気が噴射されることにより、先端ノズル１０１〜１０４より噴射された水（液体）と地盤（土や石など）が混合した排泥が地上に排出される効果を高めることができる（地中に排泥が詰まらない）。
【００３０】
次に、本発明の一実施形態における地中固結体造成工法による施工手順について図７を用いて説明する。図７は、本発明の一実施形態における地中固結体造成工法の施工手順を示すフローチャートである。
【００３１】
まず、Ｓ１において、注入ロッド１をこれから掘削する位置に位置決めする。具体的には、注入ロッド１をクレーンで吊り下げ、注入ロッド１をこれから掘削する位置のところに位置決めする。そして、注入ロッド１がこれから掘削する所定の位置に位置決めされると、Ｓ２に進む。
【００３２】
Ｓ２において、注入ロッド１の先端ノズル１０１〜１０４から水（液体）を高圧噴射させるとともに、空気噴射口１０５から空気を噴射させる。そして、水および空気を噴射させながら、注入ロッド１の端部が作業機２の把持部１８（図１参照）付近まで来ると、注入ロッド１の端部が作業機２の把持部１８により把持され、同種の注入ロッド１の端部（他の端部）を作業機２の把持部１８に把持されている注入ロッド１の端部とボルトで結合し、そのボルトで結合した注入ロッド１も同様に、クレーンで吊り下げ、地中内に挿入される。これを繰り返して、削孔１５の深度に応じた長さの注入ロッド１が地中内に挿入される。そして、Ｓ３により、注入ロッド１が所定の深度まで挿入されたかが判断され、所定の深度まで挿入されたと判断されると、Ｓ４に進む。なお、Ｓ２により実行される先端ノズル１０１〜１０４からの水の噴射、空気噴射口１０５からの空気の噴射は、作業者により、液体噴射圧設定スイッチ（図示略）、空気噴射圧設定スイッチ（図示略）が操作されることにより開始する。具体的には、作業者により、液体噴射圧設定スイッチ（図示略）、空気噴射圧設定スイッチ（図示略）の噴射圧が「０」から所望の噴射圧になるように操作されることにより開始する。
【００３３】
このように、先端ノズル１０１〜１０４から注入ロッド１の挿入方向の前方に水が高圧噴射されるので、その高圧で噴射された水により注入ロッド１の挿入方向の地盤を切削し、挿入方向の地盤を液状化（軟弱に）させることができる。これにより、注入ロッド１が地中内に挿入しやすくなり、また注入ロッド１の垂直性も確保することができる。
【００３４】
Ｓ４において、先端ノズル１０１〜１０４からの水の噴射、および空気噴射口１０５からの空気の噴射を終了させ、Ｓ５に進む。なお、Ｓ２により実行された先端ノズル１０１〜１０４からの水の噴射、空気噴射口１０５からの空気の噴射は、作業者により、液体噴射圧設定スイッチ（図示略）、空気噴射圧設定スイッチ（図示略）が操作されることにより終了する。具体的には、作業者により、液体噴射圧設定スイッチ（図示略）、空気噴射圧設定スイッチ（図示略）の噴射圧が「０」になるように操作されることにより終了する。
【００３５】
Ｓ５により、注入ロッド１を揺動させながら、噴射ノズル１３からセメントミルクおよび圧縮空気が噴射される。具体的には、噴射ノズル１３からセメントミルク（約４０ＭＰa程度の圧力）を圧縮空気（約１ＭＰa程度の圧力）とともに噴射しながら、注入ロッド１を３０度（所定の角度）回転させると、地中に扇形の固結体が形成される。なお、Ｓ５により実行された噴射ノズル１３からのセメントミルクの噴射、空気の噴射は、作業者により、セメントミルク噴射圧設定スイッチ（図示略）、空気噴射圧設定スイッチ（図示略）が操作されることにより開始する。具体的には、作業者により、セメントミルク噴射圧設定スイッチ（図示略）、空気噴射圧設定スイッチ（図示略）の噴射圧が「０」から所望の噴射圧になるように操作されることにより開始する。なお、本実施形態では、注入ロッド１を揺動させたが、これに限らず、注入ロッド１を一方向（右回転、左回転可）に回転させてもよい。
【００３６】
このように、セメントミルクおよび圧縮空気が噴射ノズル１３から高圧噴射されるので、噴射ノズル１３から噴射される噴流によって生じる渦流およびキャビテーションにより地盤中の噴流作用領域を増大させることができる。また、注入ロッド１を揺動させながら噴射ノズル１３からセメントミルクを高圧噴射させて、扇形の固結体を造成する場合には、通常、噴射ノズル１３付近の固結体の厚みが薄くなるが、本発明によれば、注入ロッド１の周辺の地盤も液状化しているので、噴射ノズル１３から高圧噴射したセメントミルクが液状化した地盤と混合し、注入ロッド１周辺の固結体の幅厚を厚く造成することができる。この噴射ノズル１３から噴射された噴流により破砕された地盤（土や石など）とセメントミルクが混合した排泥は、注入ロッド１と削孔１５の間から常時排出されるので、その排泥はバキューム車により直接吸引し処理している。
【００３７】
なお、本実施形態では、噴射ノズル１３から噴射されるセメントミルクの圧力を４０ＭＰａとしたが、これに限らず、２０〜５０ＭＰａ
の圧力で噴出させてもよい。また、注入ロッド１を３０度揺動させて、地中に扇形の固結体を形成したが、これに限らず、注入ロッド１を回転させないで壁状回転体を形成してもよく、任意の角度回転させて扇形の固結体を形成してもよい。また、注入ロッド１を３６０度回転させて、地中に円形の固結体を形成させてもよい。
【００３８】
Ｓ６において、Ｓ５により、注入ロッド１が３０度揺動された状態で、注入ロッド１を所定の長さ（例えば、１０ｃｍ以下（好ましくは、５ｃｍ））引き上げる。具合的には、注入ロッド１を把持した作業機２の把持部１８（上方側の把持部１８）を上方に移動させることにより、注入ロッド１を所定の長さ引き上げる。そして、注入ロッド１が所定の長さ引き上げられるとＳ７に進む。ここで、Ｓ５とＳ６のそれぞれ１回の処理を合わせて「１ステップ」を構成する。
【００３９】
Ｓ７において、噴射が終了したかが判断される。具体的には、所定ステップ実行され、噴射ノズル１３からセメントミルクおよび圧縮空気が噴射しなくなったかが判断される。Ｓ７で「ＮＯ」と判断された場合はＳ５に進む。そして、Ｓ５において、注入ロッド１が引き上げられた状態（前回のＳ６の状態）から、注入ロッド１を反時計回り方向に揺動させながら、噴射ノズル１３からセメントミルクおよび圧縮空気が噴射される。そして、注入ロッド１が反時計回りに３０度揺動することによりＳ６に進む。このように、噴射ノズル１３からの噴射が終了するまで、Ｓ５（時計回りの揺動噴射）→Ｓ６（注入ロッド引上げ）→Ｓ５（反時計回りの揺動噴射）→Ｓ６（注入ロッド引上げ）→Ｓ５（時計回りの揺動噴射）→Ｓ６（注入ロッド引上げ）が繰り返される。そして、Ｓ７により、所定ステップ実行され、噴射が終了したと判断されるとＳ８に進む。なお、Ｓ５により実行された噴射ノズル１３からのセメントミルクの噴射、空気の噴射は、作業者により、セメントミルク噴射圧設定スイッチ（図示略）、空気噴射圧設定スイッチ（図示略）が操作されることにより終了する。具体的には、作業者により、セメントミルク噴射圧設定スイッチ（図示略）、空気噴射圧設定スイッチ（図示略）の噴射圧が「０」になるように操作されることにより終了する。ここで、本実施形態では、説明の便宜上、空気噴射口１０５、および噴射ノズル１３の空気の噴射圧を一つの空気噴射圧スイッチで調整するように説明したが、実際は、それぞれのノズル、噴射口に対応して空気噴射圧スイッチを有している。
【００４０】
Ｓ８において、クレーン（図示略）により注入ロッド１が削孔１５から引き上げられる。具体的には、削孔１５に挿入されている注入ロッド１がクレーンで引き上げられ、削孔１５内から抜き出される。このようにすることにより、図８に示すような固結体が造成される。
【００４１】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００４２】
以下、本発明の変形例について説明する。
（１）  本実施形態では、噴射ノズル１３からセメントミルクおよび圧縮空気を高圧噴射させたが、これに限らず、噴射ノズル１３から圧縮空気を噴射させず、セメントミルクのみを高圧噴射するものであってもよい。
【００４３】
（２）  本実施形態では、注入ロッド１を揺動させる際に、まず注入ロッド１を時計回りに揺動させ、次に、反時計回りに揺動させたが、これに限らず、まず注入ロッド１を反時計回りに揺動させ、次に、時計回りに揺動させてもよい。
【００４４】
（３）  本実施形態では、Ｓ５とＳ６のそれぞれ一回の処理を合わせて「１ステップ」としたが、これに限らず、Ｓ５とＳ６のそれぞれの処理を複数回実行させたものを合わせて「１ステップ」としてもよく、また、注入ロッド１を回転させた場合は、１回転を「１ステップ」としてもよいし、また、複数回転を「１ステップ」としてもよい。    
【図面の簡単な説明】
【００４５】
【図１】本発明の一実施形態における地中固結体造成工法の施工状況を示す図である。
【図２】同地中固結体造成工法に用いられる注入ロッドの側面図である。
【図３】同注入ロッドの先端部を示す図である。
【図４】同注入ロッドの斜視図である。
【図５】同注入ロッドの端部に設けられた先端ノズルの噴射方向を示す図である。
【図６】同注入ロッドの端部に設けられた先端ノズルから水が噴射されている状況を示す図である。
【図７】本発明の一実施形態における地中固結体造成工法の施工手順を示すフローチャートである。
【図８】本発明の一実施形態における地中固結体造成工法の施工状況を示す図である。
【符号の説明】
【００４６】
１  注入ロッド
２  作業機
３  スイベル
１３  ノズル
１５  削孔
１４  材液噴射ノズル
１７  エアー噴射口
１０１  周側先端ノズル
１０２  周側先端ノズル
１０３  内側先端ノズル
１０４  内側先端ノズル
【図１】
0005250729.tif 000002
【図２】
0005250729.tif 000003
【図３】
0005250729.tif 000004
【図４】
0005250729.tif 000005
【図５】
0005250729.tif 000006
【図６】
0005250729.tif 000007
【図７】
0005250729.tif 000008
【図８】
0005250729.tif 000009